(57)【要約】【課題】貯氷室における氷塊の貯氷量を増大し、形状の異なる複数の氷塊を形成した際に、所望形状の氷塊を容易に選択して取り出し得る。【解決手段】製氷運転に際して所要形状の氷塊を形成する製氷部３０に、第１の形状を有する製氷小室の画成領域と、第２の形状を有する製氷小室の画成領域３２とを設ける。また、前記第２の形状を有する製氷小室の画成領域３２と上下に整列する位置に、該第２の形状を有する製氷小室から剥離落下した氷塊を所定方向に案内するアイスガイド５０を配設し、第２の形状を有する製氷小室３４ａに形成された氷塊を、前記アイスガイド５０により貯氷室２３ｂへ案内して、前記第１の形状を有する製氷小室に形成された氷塊の落下領域と異なる領域に夫々貯留し得るよう構成した。【選択図】  図１
2004293826.tif 000002
【特許請求の範囲】
【請求項１】
筐体（２２）内に製氷室（２３ａ）と貯氷室（２３ｂ）とが上下の関係で画成され、製氷運転に際し、該製氷室（２３ａ）に配設された製氷部（３０）の製氷小室（３０ａ）に向けて製氷水を供給して所要形状の氷塊（Ｓ１）を形成し、除氷運転に際して該製氷部（３０）を加熱して各製氷小室（３０ａ）に形成された氷塊（Ｓ１）を剥離落下させ、前記貯氷室（２３ｂ）へ案内貯留するようにした自動製氷機において、
前記製氷部（３０）は、第１の形状を有する製氷小室（３０ａ）の画成領域と、第２の形状を有する製氷小室（３４ａ）の画成領域（３２）とを備え、
前記第２の形状を有する製氷小室（３４ａ）の画成領域（３２）と上下に整列する位置に、該第２の形状を有する製氷小室（３０ａ）から剥離落下した氷塊（Ｓ２）を所定方向に案内するアイスガイド（５０）を配設し、
前記第２の形状を有する製氷小室（３４ａ）に形成された氷塊（Ｓ２）を、前記アイスガイド（５０）により前記貯氷室（２３ｂ）へ案内して、前記第１の形状を有する製氷小室（３０ａ）に形成された氷塊（Ｓ１）の落下領域と異なる領域に夫々貯留し得るよう構成した
ことを特徴とする自動製氷機。
【請求項２】
前記製氷部（３０）の第１の製氷小室（３０ａ）に形成された氷塊（Ｓ１）は、前記貯氷室（２３ｂ）内における左右方向の一方側に貯留され、前記第２の製氷小室（３４ａ）に形成された氷塊（Ｓ２）は、該貯氷室（２３ｂ）内における左右方向の他方側に貯留される請求項１記載の自動製氷機。
【請求項３】
前記製氷部（３０）に画成した第１の製氷小室（３０ａ）から剥離落下した氷塊（Ｓ）は、前記貯氷室（２３ｂ）に直接落下するよう構成した請求項１または２記載の自動製氷機。
【発明の詳細な説明】
【０００１】
【発明の属する技術分野】
この発明は、異なる複数の形状の氷塊を製氷しうるようにした自動製氷機に関するものである。
【０００２】
【従来の技術】
下向きに開口させた複数の製氷小室内で製氷水を氷結させて、所定形状の氷塊を連続的に製造する噴射式の自動製氷機が、喫茶店やレストラン等の施設その他の厨房で好適に使用されている。この自動製氷機の概略構成を説明すると、図８または図９に示す如く、製氷機本体をなす矩形筐体６１の内部に、排出部７７を介して連通する製氷室６３と貯氷室６４とが上下の関係で隣接して画成されている。そして、前記製氷室６３の天井面には、前後に離間する一対のブラケット６５，６５が配設されて、下向きに開口する複数の製氷小室（図示せず）を画成した製氷部６７が、該ブラケット６５，６５にネジおよびナットを利用して固定される。また、前記矩形筐体６１内の所要位置に配設した冷凍装置（図示せず）から冷媒およびホットガスが循環供給される冷却器６９が前記製氷部６７の上面に蛇行状に配置固定されている。更に、前記ブラケット６５，６５には、製氷水タンク７３および製氷水循環ポンプ７５を備えた水皿７１が傾動可能に枢支されて、該水皿７１で前記各製氷小室を開放または閉成するようになっている。なお、前記水皿７１の上面には、前記各製氷小室を閉成した際に、各製氷小室の夫々に対応する位置に小孔（図示せず）が穿設されており、前記製氷水循環ポンプ７５の作用下に製氷水タンク７３内の製氷水が各製氷小室に向けて噴射供給される。
【０００３】
すなわち、前記自動製氷機の製氷運転を開始すると、前記製氷水タンク７３に貯留されている製氷水が、前記各小孔を介して製氷部６７の各製氷小室内に噴射供給される。このとき、前記冷凍装置の運転により前記冷却器６９に冷媒が供給され、該冷却器６９と製氷部６７とが熱交換して製氷小室が強制的に冷却される。従って、水皿７１から噴射された製氷水は、この製氷小室に接触して順次氷結されて該小室の内部形状と同一の形状を呈する氷塊Ｓが形成される。なお、製氷小室で氷結しない未氷結水は、前記水皿７１に落下して前記製氷水タンク７３に戻され、再循環するようになっている（例えば、特許文献１参照）。
【０００４】
また、製氷運転が完了して除氷運転に移行すると、前記水皿７１が製氷部６７から離間すると共に、前記冷却器６９にホットガスが供給されて製氷部６７が加熱され、各製氷小室と氷塊Ｓとの界面が融解して該氷塊Ｓが剥離落下し、前記排出部７７を介して前記貯氷室６４に貯留される。このとき、図９に示すように、前記排出部７７の下方に配設されたアイスガイド７０により、前記製氷小室から剥離落下した氷塊Ｓを前記貯氷室６４の奥側に案内するよう構成されている。
【０００５】
【特許文献１】
特開平５−２２３４１６号公報
【０００６】
【発明が解決しようとする課題】
前述したように、前記アイスガイド７０は、図９に示すように後方側に折れ曲がった略く字状に形成されており、前記製氷小室から剥離落下した全ての氷塊Ｓは貯氷室６４の奥側に順次案内される。このため、図８に示すように、前記貯氷室６４内に貯留された氷塊は、前記排出部７７に近接する位置に偏在して、該貯氷室６４に氷塊Ｓが満杯になる前に貯氷完了検知スイッチにより検知される欠点がある。また、前記製氷部６７に、形状の異なる複数の製氷小室を画成して、一度の製氷運転で複数種類の異なる形状の氷塊Ｓを形成する自動製氷機を使用した場合には、貯氷庫６４内に形状の異なる氷塊Ｓが混在するため、所望の形状を呈する氷塊Ｓを探して取り出すのは手間が掛かる問題を有している。
【０００７】
【発明の目的】
本発明は、前述した従来の技術に内在している前記課題に鑑み、これを好適に解決するべく提案されたものであって、貯氷室における氷塊の貯氷量を増大させると共に、形状の異なる複数の氷塊を形成した際に、所望形状の氷塊を容易に選択して取り出し得る自動製氷機を提供することを目的とする。
【０００８】
【課題を解決するための手段】
前記課題を克服し、所期の目的を好適に達成するため、本発明に係る自動製氷機は、
筐体内に製氷室と貯氷室とが上下の関係で画成され、製氷運転に際して、該製氷室に配設された製氷部の製氷小室を強制的に冷却すると共に、該製氷小室に向けて散水手段により製氷水を噴射供給して所要形状の氷塊を形成し、除氷運転に際して該製氷部を加熱して各製氷小室に形成された氷塊を剥離落下させて、前記貯氷室に貯留する自動製氷機において、
前記製氷部は、第１の製氷小室の画成領域と、該第１の製氷小室と異なる形状の第２の製氷小室の画成領域とを備え、
前記第２の製氷小室の画成領域と上下に整列する位置に、該第２の製氷小室から剥離落下した氷塊を所定方向に案内するアイスガイドを配設し、
前記製氷部の第１の製氷小室に形成された氷塊と、前記第２の製氷小室に形成された氷塊とを、前記貯氷室内の異なる領域に貯留するよう構成したことを特徴とする。
【０００９】
【発明の実施の形態】
次に、本発明に係る自動製氷機につき、好適な実施例を挙げて、添付図面を参照しながら以下詳細に説明する。
【００１０】
図１に示すように、実施例に係る自動製氷機２０は、断熱構造に構成された矩形状の筐体２２の内部上方に、氷塊Ｓ１，Ｓ２を形成する製氷部３０や水皿（散水部材）４０を配設した製氷室２３ａが画成され、該製氷室２３ａの下方に隣接して当該製氷室２３ａで形成された氷塊Ｓ１，Ｓ２を貯氷する貯氷室２３ｂが画成されている。前記筐体２２の前側は開口しており、前記製氷室２３ａの前側に着脱可能に配設されているフロントパネル２１ａ（図２参照）を取り外すことで該製氷室２３ａの前側を開放して、前記製氷部３０や水皿４０等のメンテナンスを前側から行ない得るよう構成される。また、前記貯氷室２３ｂの前側に対応する筐体２２には、略矩形状の開口部２２ａが開設されており、該開口部２２ａを開放可能な開閉扉２１ｂ（図２参照）が配設され、該開閉扉２１ｂを開放することで貯氷室２３ｂ内に貯留した氷塊Ｓ１，Ｓ２を取り出し得るようになっている。なお、前記筐体２２に画成した図示しない機械室に圧縮機、凝縮器、ファンモータ等からなる冷凍装置（図示せず）が配設され、製氷運転および除氷運転に際して該冷凍装置が駆動されるよう構成してある。
【００１１】
前記製氷室２３ａの天井面に配設されて、前後方向に所要間隔離間して左右方向に延在する一対のブラケット２４，２４（図２参照）に、前記製氷部３０が略水平姿勢でネジ止めされている。前記製氷部３０は、熱伝導率の優れた素材（例えば銅等）で所要の高さを有する略矩形状に形成されると共に、下向きに向けて星形に開口する第１の製氷小室３０ａが複数画成されている。また、前記製氷部３０の上面（裏面）には、製氷運転時には前記冷凍装置から冷媒が供給されると共に、除氷運転時にはホットガスが供給される冷却器２８が蛇行状に配設されて（図３参照）、該冷却器２８に冷媒を供給することで各第１の製氷小室３０ａを強制的に冷却し、ホットガスを供給することで各第１の製氷小室３０ａを温めるよう構成してある。なお、前記製氷部３０の裏面側における各角部近傍には、第１通孔３１ａが夫々穿設されており、該製氷部３０の下方から各第１通孔３１ａに挿通したネジ４７に、ネジカラー４９を介してナット４８を締め付けることで前記ブラケット２４に固定される。
【００１２】
また、図３または図４に示すように、前記製氷部３０における前方には、切替式製氷部３４を着脱可能な設置部（第２の製氷小室の画成領域）３２が下方に向けて開口するよう画成されている。ここで、前記設置部３２は、前記製氷部３０における左右方向の略全長に亘り、かつ前後方向の略４分の１の長さに亘る略矩形状に形成してある。本実施例では、前記切替式製氷部３４は、図５に示すように、前記製氷部３０と同様に熱伝導率の優れた材質で形成されて、前記第１の製氷小室３０ａとは異なる形状のハート形を呈する第２の製氷小室３４ａが下方に向けて開口するよう画成されている。すなわち、前記製氷部３０は、前記第１の製氷小室３０ａの画成領域と、該第１の製氷小室３０ａと異なる形状の第２の製氷小室３４ａの画成領域とを備えている。なお、前記切替式製氷部３４は、前記設置部３２の開口領域に略整合する略矩形状に形成されて、切替式製氷部３４を設置部３２に略密着的に挿入し得るよう構成される。なお、設置部３２の上面部における左右方向の所定間隔離間した位置に、第２通孔３１ｂ，３１ｂを夫々穿設してある。
【００１３】
また、前記設置部３２に切替式製氷部３４を挿入した際に、該切替式製氷部３４における前記設置部３２の第２通孔３１ｂ，３１ｂの夫々と上下に整列する位置には、上下方に貫通する筒部３４ｂ，３４ｂが設けられている。すなわち、前記切替式製氷部３４の下方から前記各筒部３４ｂに挿通したネジ４７を、前記設置部３２の各第２通孔３１ｂに挿通したもとで、該ネジ４７に製氷部３０の上面側においてネジカラー４９を介在させてナット４８で締付けることにより、該切替式製氷部３４が製氷部３０に着脱可能に取り付けられる。
【００１４】
図１に示すように、前記各ブラケット２４の左側端部近傍には、下方に突出する支持部２６が夫々配設され、各支持部２６に形成した軸部２６ａに前記水皿４０が、略水平な製氷位置と斜め下方に傾斜した除氷位置との間を傾動可能に枢支されている。ここで、前記水皿４０を製氷位置に傾動した際に、該水皿４０が前記製氷部３０および設置部３２に装着した切替式製氷部３４の各第１および第２の製氷小室３０ａ，３４ａを閉成するよう構成してある。また、前記水皿４０の下方位置には、図示しない外部水源に接続された製氷水タンク４２が一体的に配設され、該タンク４２に製氷水が貯留されている。更に、前記水皿４０には、前記水皿４０を製氷位置に保持した際に前記各第１および第２の製氷小室３０ａ，３４ａと対応する位置に、前記製氷水タンク４２に連通する小孔（図示しない）が夫々形成されており、該タンク４２内の製氷水を製氷水循環ポンプ４４を介して小孔から各第１および第２の製氷小室３０ａ，３４ａに向けて噴射供給するよう構成される。
【００１５】
すなわち、製氷運転に際して、前記水皿４０を製氷位置に保持すると共に、前記冷凍装置から冷媒を前記冷却器２８に供給して製氷部３０を冷却し、製氷部３０および切替式製氷部３４の各第１および第２の製氷小室３０ａ，３４ａに製氷水を噴射供給することで、各第１および第２の製氷小室３０ａ，３４ａと同一形状の星形の氷塊Ｓ１およびハート形の氷塊Ｓ２が徐々に形成される。また、除氷運転に際して、前記水皿４０を除氷位置に傾動すると共に、前記冷凍装置からホットガスを前記冷却器２８に供給して製氷部３０を加熱することで、第１および第２の製氷小室３０ａ，３４ａから氷塊Ｓが剥離し、水皿４０に沿って排出部２５（後述）に向かって落下するようになっている。なお、製氷運転から除氷運転への切り替えは、前記第１および第２の製氷小室３０ａ，３４ａに完全に氷塊Ｓ１，Ｓ２が形成されたことを検知する公知の検出手段の検知に基づいて行なわれるよう設定される。
【００１６】
また、図１に示すように、前記水皿４０の下方には、該水皿４０や製氷部３０から流下した製氷水を外部に排出する排水皿４６が配設されており、該排水皿４６の右端面と筐体２２との間に開口された排出部２５を介して、製氷室２３ａと貯氷室２３ｂとが連通するようになっている。従って、前記第１および第２の製氷小室３０ａ，３４ａから剥離落下した氷塊Ｓ１，Ｓ２は、前記排出部２５から貯氷室２３ｂに落下する。前記貯氷室２３ｂにおける前記排出部２５の下方には、図１または図２に示すように、前記貯氷室２３ｂの開口部２２ａに近接すると共に、前記製氷部３０の設置部３２に取り付けた切替式製氷部３４と上下に整列する位置に、前記第２の製氷小室３４ａから剥離落下して氷塊Ｓ２を案内し得るアイスガイド５０が配設されている。
【００１７】
前記アイスガイド５０は、図６（ａ），（ｂ）に示すように、筐体２２の右側壁（図１参照）に近接する右側部を画成する第１傾斜側面５１と、貯氷室２３ｂの開口部２２ａ側を画成する第２傾斜側面５２と、該第１傾斜側面５１の下端縁に連接されて下方を画成する第１傾斜案内面５３と、第１傾斜側面５１および第２傾斜側面５２の下端縁に連接されると共に第１傾斜案内面５３の前端縁に連接されて、下方を画成する第２傾斜案内面５４とから、後方および左方向に開放する箱状に形成される。また、図６（ａ），（ｂ）に示すように、前記第１傾斜側面５１および前記第１傾斜側案内５３の夫々は、下方に向かうにつれて左側に傾斜するよう構成され、前記第２傾斜側面５２および第２傾斜案内面５４の夫々は、下方に向かうにつれて後側に傾斜するよう構成してある。なお、前記第１傾斜案内面５３および第２傾斜案内面５４の夫々は、前記第１傾斜側面５１および第２傾斜側面５２の夫々より緩やかに傾斜させてある。すなわち、前記切替式製氷部３４の製氷室３４ａからアイスガイド５０上に剥離落下した氷塊Ｓ２を、貯氷室２３ｂの左奥側に向けて円滑に案内するよう構成されている。
【００１８】
また、前記第２傾斜案内面５４における第１傾斜側面５１から離間する端縁部（アイスガイド５０の左端）には、その下端部から所要距離離間する位置から上端部に亘って、上方に向かって延出する側部フランジ５４ａが形成されており、アイスガイド５０から貯氷室２３ｂにおける開口部２２ａの近傍に氷塊Ｓ２が落下しないよう構成してある。なお、製氷部３０の第１の製氷小室３０ａと上下に整列する位置に、前記アイスガイド５０を位置させていないから、該製氷部３０の第１の製氷小室３０ａから剥離落下した氷塊Ｓ１はそのまま貯氷室２３ｂ内に落下する。また、前記アイスガイド５０の後方位置には、前記貯氷室２３ｂ内に貯留された氷塊Ｓ１，Ｓ２量を検出する貯氷検知スイッチ５７が垂下されており、該貯氷室２３ｂに貯留された氷塊Ｓ１，Ｓ２が、該貯氷検知スイッチ５７を押し上げると製氷運転が停止されるよう設定してある。
【００１９】
なお、前記第１傾斜側面５１および第２傾斜側面５２の上端縁部には、水平方向外側に延出する上部フランジ５５ａが屈曲形成されており、該上部フランジ５５ａを介して前記筐体２２の右側壁２２ｂおよび前壁２２ｃ（図２参照）に設けた固定部（図示せず）に下方からネジ止めされる。更に、前記アイスガイド５０の右側には、板状の固定用フランジ５５ｂ（図２参照）が形成されており、該フランジ５５ｂも前記筐体２２の右側壁２２ｂに左方からネジ止めされている。
【００２０】
【実施例の作用】
次に、本実施例に係る自動製氷機の作用につき説明する。先ず、前記製氷部３０に形成した設置部３２に、前記切替式製氷部３４を略密着状態で固定する。そして、製氷運転を開始すると、前記水皿４０が除氷位置から製氷位置に傾動して前記製氷部３０の第１の製氷小室３０ａおよび切替式製氷部３４の第２の製氷小室４ａが閉成されると共に、前記冷凍装置から前記冷却器２８に冷媒が供給される。このとき、前記製氷部３０は、前記冷却器２８と熱交換して強制的に冷却されると共に、該製氷部３０の設置部３２に略密着的に取り付けた前記切替式製氷部３４も効率的に冷却されて第１および第２の製氷小室３０ａ，３４ａが強制的に冷却される。この状態で、前記水皿４０の小孔から前記製氷水タンク４２内の製氷水を対応の第１および第２の製氷小室３０ａ，３４ａに噴射供給すると、第１および第２の製氷小室３０ａ，３４ａの内部形状と同一形状の星形の氷塊Ｓ１とハート形の氷塊Ｓ２が徐々に形成される。
【００２１】
前記検出手段が製氷完了を検知すると、除氷運転に移行し、前記冷凍装置から冷却器２８にホットガスが供給されて前記製氷部３０を加熱すると共に、前記水皿４０が除氷位置まで傾動される。このとき、前述したと同様に、前記製氷部３０の設置部３２に密着された前記切替式製氷部３４も効率的に加熱されて第１および第２の製氷小室３０ａ，３４ａの夫々が強制的に温められる。そして、前記各氷塊Ｓ１，Ｓ２の表面が融解すると、前記第１および第２の製氷小室３０ａ，３４ａから氷塊Ｓ１，Ｓ２が剥離落下すると共に、前記水皿４０により排出部２５に向けて案内される。
【００２２】
ここで、前記排出部２５の下方には、前記切替式製氷部３４（設置部３２）と上下に整列する位置にアイスガイド５０を配設してあるから、該切替式製氷部３４における第２の製氷小室３４ａで形成されたハート形の氷塊Ｓ２は、該アイスガイド５０上に落下する。このアイスガイド５０は、左側後方に向けて傾斜させてあるから、前記ハート形の氷塊Ｓ２は前記貯氷室２３ｂの左側の領域に順次貯留される。一方、前記アイスガイド５０は、前記製氷部３０の第１の製氷小室３０ａを画成した領域の下方には設けられていないから、該第１の製氷小室３０ａで形成された星形の氷塊Ｓ１は、前記排出部２５から前記貯氷室２３ｂ内に直接落下して、該貯氷室２３ｂの右側の領域に順次貯留される。このように、製氷運転に際して形成された星形およびハート形の氷塊Ｓ２の夫々は、貯氷室２３ｂ内の異なる領域に順次貯留されるので、該貯氷室２３ｂの開閉扉２１ｂを開放した際に、所望の形状の氷塊Ｓ１，Ｓ２を容易に選択して取り出すことができる。
【００２３】
前述した如く、前記アイスガイド５０を配設することで、前記貯氷室２３ｂに氷塊Ｓ１，Ｓ２が落下する排出部２５から離間する貯氷室２３ｂの左側の領域にも効率的に氷塊Ｓ２を貯留させ得るので（図７参照）、当該貯氷室２３ｂ内により多くの氷塊Ｓ１，Ｓ２を効率的に貯留させ得る。更に、前記アイスガイド５０における第２傾斜案内面５４における左側の端縁部に側部フランジ５４ａを形成したことにより、該アイスガイド５０で案内されるハート形の氷塊Ｓ２が、貯氷室２３ｂの開口部２２ａ側に放出されないので、該開口部２２ａの近傍に氷塊Ｓ２が貯留され難くなる。同様に、前記星形の氷塊Ｓ１も、貯氷室２３ｂの奥側から順次貯留されるので、貯氷室２３ｂの開口部２２ａの近傍に氷塊Ｓ１が貯留され難くなる。すなわち、前記開閉扉２１ｂを開放した際に、貯氷室２３ｂの開口部２２ａから氷塊Ｓ１，Ｓ２がこぼれ落ちるのは防止される。更にまた、前記第１および第２傾斜案内面５３，５４の夫々を緩やかに傾斜させたことで、前記アイスガイド５０から落下する氷塊Ｓ１，Ｓ２が破損するのを抑制し得る。また、前記アイスガイド５０を開口部２２ａ側に設けてあるので、該アイスガイド５０の着脱作業が容易にでき、洗浄作業を簡単に行なうことが可能である。
【００２４】
【変更例】
なお、本発明に係る自動製氷機としては、前述した実施例の構成に限られるものではなく、種々の変更が可能である。例えば、実施例では、前記製氷部の設置部に星形の第１の製氷小室を画成すると共に、ハート形の第２の製氷小室を画成した切替式製氷部を取り付けるようにしたが、該第１の製氷小室と第２の製氷小室とを異なる形状に画成するようにすれば、任意の形状とすることが可能である。更に、実施例では、前記製氷部に画成した第１の製氷小室と異なる形状の第２の製氷小室を画成した切替式製氷部を設置部に取り付けるようにしたが、製氷部に直に第２の製氷小室を画成するようにしてもよい。
【００２５】
また、氷塊を案内するアイスガイドの形状および設置箇所も、実施例のものに限られず、所定方向に案内し得る形状とすれば、任意の形状に形成することができる。例えば、前記アイスガイドを、製氷部の後方側に画成された製氷小室と上下に整列する位置に設けるようにしてもよく、更には製氷部に画成した製氷小室の領域毎にアイスガイドを設けることも可能である。また、アイスガイドに落下した氷塊を製氷室の右奥側に案内するよう構成することも可能でる。なお、アイスガイドの固定手段としては、実施例の如くネジ止めに限らず、係合構造やその他の公知の手段により固定するようにすればよい。また、アイスガイドを配設する自動製氷機としては実施例ものに限らず、製氷部に画成した製氷小室に製氷水を供給して氷塊を形成するタイプのものであれば、該製氷部を上下方向に保持して製氷小室を横向きに開口するよう構成したものや、所謂オープンセルタイプのものであってもよく、従来公知の自動製氷機に設置することができる。
【００２６】
【発明の効果】
以上に説明したように、本発明に係る自動製氷機によれば、貯氷室の全体に氷塊を貯留することができ、貯氷能力が向上する。また、製氷部における特定形状の製氷小室を画成した領域と上下に整列する位置にアイスガイドを設けることで、同一形状の氷塊毎に分離して貯留でき、所望の形状の氷塊を容易に選択して取り出すことができる。
【図面の簡単な説明】
【図１】本発明の実施例に係る自動製氷機における製氷室および貯氷室を示し、製氷部の設置部から切替式製氷部を取り外した状態を示す縦断正面図である。
【図２】実施例に係る自動製氷機における製氷室および貯氷室を示す縦断側面図である。
【図３】実施例に係る製氷部に冷却器を取り付けた状態で示す平面図である。
【図４】実施例に係る製氷部を示す底面図である。
【図５】実施例に係る切替式製氷部を示す底面図である。
【図６】実施例に係るアイスガイドを示し、（ａ）はアイスガイドを後方側から見た斜視図であり、（ｂ）はアイスガイドの左側面図である。
【図７】実施例に係る自動製氷機における製氷室および貯氷室を示し、該貯氷室に氷塊が貯留された状態を示す縦断正面図である。
【図８】従来の技術に係る自動製氷機における製氷室および貯氷室を示し、該貯氷室に氷塊が貯留された状態を示す縦断正面図である。
【図９】従来の技術に係る自動製氷機における製氷室および貯氷室を示す縦断側面図である。
【符号の説明】
２２  矩形筐体（筐体），２３ａ  製氷室，２３ｂ  貯氷室，３０  製氷部
３０ａ  第１の製氷小室，３２  設置部（第２の製氷小室の画成領域）
３４ａ  第２の製氷小室，４０  水皿（散水部材）
５０  アイスガイド，Ｓ１  星形の氷塊，Ｓ２  ハート形の氷塊
【図１】
2004293826.tif 000003
【図２】
2004293826.tif 000004
【図３】
2004293826.tif 000005
【図４】
2004293826.tif 000006
【図５】
2004293826.tif 000007
【図６】
2004293826.tif 000008
【図７】
2004293826.tif 000009
【図８】
2004293826.tif 000010
【図９】
2004293826.tif 000011